(57)【特許請求の範囲】
【請求項１】
上面部が浴槽に隣接した洗い場床を構成する防水パンと、
前記洗い場床の周縁部から立ち上がる洗い場内壁部と、前記洗い場内壁部の上端部に設けられ且つ上方に上壁パネルが配置される壁配置部とを備え、前記防水パンとは分割された別部材として前記防水パンに固定される複数の周壁部材と、
前記浴槽の上端部に位置する周縁部のうちの前記洗い場床側に面しない周縁部から立ち上がる浴槽側内壁部を備え、前記浴槽に連結される連結部材と、
を有する浴室ユニット。
【請求項２】
上面部が浴槽に隣接した洗い場床を構成する防水パンと、
前記洗い場床の周縁部から立ち上がる洗い場内壁部と、前記洗い場内壁部の上端部に設けられ且つ上方に上壁パネルが配置される壁配置部とを備え、前記防水パンとは分割された別部材として前記防水パンに固定される複数の周壁部材と、
前記浴槽の上端部に位置する周縁部のうちの前記洗い場床側に面しない周縁部から立ち上がる浴槽側内壁部を備えた連結部材と、
板状に構成され且つ第１貫通部が形成された上面固定部と、前記上面固定部から折れ曲がる板状に構成され且つ第２貫通部が形成された側面固定部とを備えた接続金具と、を有し、
前記洗い場内壁部の裏面部には、凸部が形成され、
前記防水パンの側面部は、前記凸部の下方に配置され、
前記第１貫通部に通され且つ前記凸部の上面と交差する方向に延びる第１連結具によって前記上面固定部が前記凸部の上面に固定され、前記第２貫通部に通され且つ前記防水パンの側面と交差する方向に延びる第２連結具によって前記側面固定部が前記防水パン又は前記防水パンの下方に配置される下方部材の側面に固定される浴室ユニット。
【請求項３】
前記連結部材は、前記浴槽側内壁部の上端部に設けられ且つ上方に上壁パネルが配置される第２壁配置部を備え、
前記洗い場内壁部の上端部の高さと、前記浴槽側内壁部の上端部の高さとが揃えられている請求項１から請求項２までのいずれか一項に記載の浴室ユニット。
【請求項４】
前記壁配置部は、前記洗い場内壁部の上端縁部に沿って形成され上面が上壁パネルの端面に隣接する隣接面として構成された隣接部と、前記隣接部から上方に立ち上がる壁部として構成されるとともに前記隣接部に沿って形成され且つ上壁パネルの裏面側に配置される立壁部とを有する請求項１から請求項３までのいずれか一項に記載の浴室ユニット。
【発明の詳細な説明】
【技術分野】
【０００１】
本発明は、浴室ユニットに関するものである。
【背景技術】
【０００２】
従来から提供されている浴室として、洗い場の床部と周壁部とを一体成型した防水パンを備えたものが知られている。例えば、特許文献１で開示される浴室は、洗い場２１０の周囲に第１の床壁面２１１、第２の床壁面２１２、第３の床壁面２１３が設けられ、これらが洗い場２１０と一体成形された形で防水パンが構成されている。そして、第１の床壁面２１１の上には第１の浴室壁面４１１が立設され、第２の床壁面２１２の上には第２の浴室壁面４２１が立設されている。このように低い高さの周壁部（第１の床壁面２１１、第２の床壁面２１２、第３の床壁面２１３）を設け、その上に別部材のパネルを配置することで、浴室の壁部を多様なデザインで構成することが可能となる。
【先行技術文献】
【特許文献】
【０００３】
【特許文献１】特開２０１３−１７９９８７号公報
【発明の概要】
【発明が解決しようとする課題】
【０００４】
しかし、特許文献１で開示される浴室は、洗い場床と、腰高の周壁部（腰高壁）とを一体成形した防水パンが用いられているため、洗い場床と腰高壁の組み合わせを変更しにくく、バリエーションを増やしにくいという問題がある。また、例えば扉の位置を変更する場合など、防水パンの構成を設計変更する場合には、洗い場床と周壁部を含んだ全体を一括して変更しなければならず、大きな金型を新たに製造しなければならない。
【０００５】
本発明は、上述した実情に鑑みてなされたものであり、洗い場床と周壁部の組み合わせのバリエーションを増やしやすく、部分的な設計変更がより行い易い浴室ユニットを提供することを解決すべき課題としている。
【課題を解決するための手段】
【０００６】
本発明の浴室ユニットは、上面部が浴槽に隣接した洗い場床を構成する防水パンと、前記洗い場床の周縁部から立ち上がる洗い場内壁部と、前記洗い場内壁部の上端部に設けられ且つ上方に上壁パネルが配置される壁配置部とを備え、前記防水パンとは分割された別部材として前記防水パンに固定される複数の周壁部材と、前記浴槽の上端部に位置する周縁部のうちの前記洗い場床側に面しない周縁部から立ち上がる浴槽側内壁部を備えた連結部材と、を有する。
【０００７】
本発明の浴室ユニットは、洗い場床を構成する防水パンと、洗い場の内壁部を構成する周壁部材とが分割された別部材として構成される。この構成によれば、洗い場床と周壁部材をそれぞれ別々の部材によって構成することができ、これらを一体成形することに起因する制約が緩和される。特に、洗い場床と洗い場内壁部の材質や形状を選定する上で自由度がより大きくなり、洗い場床と洗い場内壁部の組み合わせのバリエーションを増やしやすくなる。また、洗い場床と洗い場の内壁部が分割されているため、扉の位置変更などのように一部の設計変更が求められる場合に、必ずしも洗い場床と内壁部を一括して変更する必要はなく、より小さな部位の設計変更で対応しやすくなる。
【図面の簡単な説明】
【０００８】
【図１】実施例１の浴室ユニットを概略的に示す平面図である。
【図２】実施例１の浴室ユニットを側方から見た一部断面概略図である。
【図３】実施例１の浴室ユニットを、図２とは反対側から見た一部断面概略図である。
【図４】実施例１の浴室ユニットのＣ−Ｃ断面概略図である。
【図５】実施例１の浴室ユニットのＤ−Ｄ断面概略図である。
【図６】実施例１の浴室ユニットのＥ−Ｅ断面概略図である。
【図７】実施例１の浴室ユニットのＦ−Ｆ断面概略図である。
【図８】実施例１の浴室ユニットのＧ−Ｇ断面概略図である。
【図９】実施例２の浴室ユニットを概略的に示す平面図である。
【図１０】実施例３の浴室ユニットを概略的に示す平面図である。
【図１１】実施例４の浴室ユニットを概略的に示す平面図である。
【図１２】実施例５の浴室ユニットを概略的に示す平面図である。
【図１３】実施例６の浴室ユニットを概略的に示す平面図である。
【発明を実施するための形態】
【０００９】
本発明における好ましい実施の形態を例示する。
本発明の浴室ユニットは、連結部材が浴槽側内壁部の上端部に設けられ且つ上方に上壁パネルが配置される第２壁配置部を備えていてもよい。そして、洗い場内壁部の上端部の高さと、浴槽側内壁部の上端部の高さとが揃えられていてもよい。
【００１０】
この構成によれば、洗い場内壁部の上端と浴槽の上面の高さがずれていても、洗い場内壁部の上端部と浴槽側内壁部の上端部を揃えて統一感のあるデザインとすることができる。しかも、洗い場側の上壁パネルと浴槽側の上壁パネルについても、下端部の高さをより合わせやすいため、デザイン性をより一層高めることができる。
【００１１】
本発明において、壁配置部は、洗い場内壁部の上端縁部に沿って形成され上面が上壁パネルの端面に隣接する隣接面として構成された隣接部と、隣接部から上方に立ち上がる壁部として構成されるとともに隣接部に沿って形成され且つ上壁パネルの裏面側に配置される立壁部とを有していてもよい。
【００１２】
この構成によれば、上壁パネルの端面を隣接面に隣接させ、上壁パネルの裏面を立壁部に隣接させた近接構造で位置を定めることができる。そして、上壁パネルと周壁部材の境界部付近では、裏面側への水の回り込みをより防ぎ易くなる。
【００１３】
本発明の浴室ユニットは、板状に構成され且つ第１貫通部が形成された上面固定部と、上面固定部から折れ曲がる板状に構成され且つ第２貫通部が形成された側面固定部とを備えた接続金具を有していてもよい。洗い場内壁部の裏面部には、凸部が形成され、防水パンの側面部は、凸部の下方に配置されていてもよい。そして、第１貫通部に通され且つ凸部の上面と交差する方向に延びる第１連結具によって上面固定部が凸部の上面に固定され、第２貫通部に通され且つ防水パンの側面と交差する方向に延びる第２連結具によって側面固定部が防水パンの側面に固定される構成であってもよい。
【００１４】
このように、周壁部材の裏側に形成された凸部と接続金具の上面固定部とを、凸部の上面と交差する方向に延びる第１連結具によって固定する場合、上面固定部に形成された第１貫通部の内面と第１貫通部を通る第１連結具の外面の間に隙間があれば、この隙間の範囲で周壁部材を相対的に移動することができる。つまり、防水パンに対する周壁部材の相対位置（凸部の上面の方向の相対位置）を微調整しつつ固定することが可能となる。更に、防水パン又は下方部材の側面と接続金具の側面固定部とを、その側面と交差する方向に延びる第２連結具によって固定する構造となっている。この構成では、側面固定部に形成された第２貫通部の内面と第２貫通部を通る第２連結具の外面の間に隙間があれば、この隙間の範囲で防水パンを相対的に移動することができる。つまり、周壁部材に対する防水パンの相対位置（側面の方向の相対位置）を微調整しつつ固定することが可能となる。このように、周壁部材と防水パンの位置関係を、２つの平面方向で微調整しつつ固定することができるため、防水パンや周壁部材に反りやねじれなどの製造ばらつきが生じても、微調整によってその影響を抑えた形で固定することが可能となる。
【００１５】
＜実施例１＞
次に、本発明を具体化した実施例１について、図１〜図８を参照しつつ説明する。図２は、実施例１の浴室ユニット１を側方から見た一部断面概略図であり、洗い場部３については、Ａ−Ａ位置の断面を概略的に示している。図３は、実施例１の浴室ユニット１を、図２とは反対側から見た一部断面概略図であり、洗い場部３については、Ｂ−Ｂ位置の断面を概略的に示している。図４は、浴室ユニット１のＣ−Ｃ断面概略図であり、カウンター及び水栓については仮想線で示している。図５は、浴室ユニット１のＤ−Ｄ断面概略図であり、カウンターを仮想線で示し、水栓の図示は省略している。
【００１６】
まず、浴室ユニット１及び関連構成の概要を説明する。図１で示す浴室ユニット１は、マンションや戸建て住宅の浴室の一部を構成するユニットである。図２のように、浴室ユニット１は、浴槽部２、洗い場部３、支持部１０、排水トラップ１７、排水パイプ１８などを備えている。
【００１７】
以下の説明では、便宜上、鉛直方向を上下方向とする。そして、浴槽と洗い場の並ぶ方向（図１の例では、平面視矩形状に構成される洗い場部３の短辺の方向）を前後方向とし、洗い場部３側を前側、浴槽部２側を後側とする。そして、上記上下方向及び上記前後方向と直交する方向を左右方向とする。
【００１８】
図１、図２のように、浴槽部２は、湯を貯留するための浴槽５と、エプロン６と、連結部材６０とを備える。浴槽５は、上面が開放された箱状をなし、その底部と後述する浴槽側フレーム１３との間に図示しない支持部材を介在させた形で浴槽側フレーム１３上に支持される。エプロン６は、浴槽５の洗い場部３側の外面を覆い隠す部分である。エプロン６は、浴槽５に組み付けられる板状のエプロン本体６Ａと、エプロン本体６Ａに組み付けられる化粧板６Ｂとを備える。エプロン本体６Ａには図示しない点検口が貫通した開口形状で形成されている。化粧板６Ｂは、表面が洗い場部３の内部空間に臨む配置となっている。
【００１９】
図１のように、洗い場部３は、防水パン２０と、複数の腰高壁４０，４１とを備え、図２のように、後述する洗い場側フレーム１４上に支持される。洗い場部３を構成する防水パン２０及び複数の腰高壁４０，４１は、化粧板６Ｂとともに上方が開放した箱状部を構成する。具体的には、防水パン２０の上面部が洗い場床２２を構成しており、腰高壁４０，４１及び化粧板６Ｂが、洗い場床２２の前後端部及び左右端部から立ち上がる構成で配置され、周壁を構成している。洗い場部３は、防水機能を有し、洗い場部３の内部空間で使用されて洗い場床２２に落ちた湯水を、傾斜した洗い場床２２によって後述する収容凹部３８側に流す構造となっている。なお、洗い場部３の詳細については後述する。
【００２０】
図２〜図５のように、支持部１０は、浴槽部２及び洗い場部３の下方に配置されている。支持部１０は、浴槽５及び防水パン２０を下方側から支持する部分であり、載置台を構成するフレーム１２と、フレーム１２に取り付けられた複数の支持脚１６とを備える。フレーム１２は、浴槽部２側に配置される浴槽側フレーム１３と、洗い場部３側に配置される洗い場側フレーム１４と、境界フレーム１５とを備え、これらが一体化されている。
【００２１】
浴槽側フレーム１３は、前後方向に細長い複数の前後梁１３Ａと、左右方向に細長い複数の左右梁（図示略）とを備え、前後梁１３Ａと左右梁とが連結された構成をなす。そして、この浴槽側フレーム１３は、浴槽部２を載置する台として機能する。
【００２２】
洗い場側フレーム１４は、前後方向に細長い複数の前後梁１４Ａと、左右方向に細長い複数の左右梁１４Ｂとを備えた下フレームと、この下フレームの上面に固定された環状フレーム１４Ｃとを有する。下フレームは、前後梁１３Ａと左右梁１４Ｂとが連結された構成をなし、環状フレーム１４Ｃは、防水パン２０の周縁部に沿ってこの周縁部の下方に環状且つ矩形枠状に配置されている。このように構成される洗い場側フレーム１４は、境界フレーム１５（境界梁）によって浴槽側フレーム１３に連結され、一体化されている。そして、この洗い場側フレーム１４は、洗い場部３を載置する台として機能する。
【００２３】
図２〜図４のように、浴槽側フレーム１３、洗い場側フレーム１４、境界フレーム１５が一体化してなるフレーム１２の下面部には複数の支持脚１６が設けられている。各支持脚１６は、フレーム１２の下面から下方へ延びる構成で突出し鉛直方向に沿って配置されている。各支持脚１６の下端部は、浴室１００の床スラブ１０２の上面に載置されて接着されるようになっている。
【００２４】
図２のように、排水トラップ１７は、床スラブ１０２と防水パン２０との間の隙間、及び床スラブ１０２と浴槽５との間の隙間に配置されている。この排水トラップ１７は、防水パン２０の収容凹部３８設けられた洗い場用排水口３９に連通する洗い場用流入口と、浴槽５の排出口５Ｂに連通する浴槽用流入口と、排水パイプ１８に通じる流出口とを有する。防水パン２０の洗い場用排水口３９を介して放出される排水や、浴槽５の排出口５Ｂから放出される排水は、排水トラップ１７を通って排水パイプ１８から排出される。
【００２５】
次に、洗い場部３の具体的な構成について詳述する。
図１のように、洗い場部３は、防水パン２０によって底部が構成され、腰高壁４０，４１によって腰高の周壁部が構成されている。防水パン２０は、上面部が浴槽５に隣接した洗い場床２２を構成する洗い場パンである。この防水パン２０は、例えば樹脂材料によって構成されるとともに全体として一枚板状をなし、図２等で示す床スラブ１０２における洗い場領域の全体を覆うように左右方向に長い長方形状をなす。
【００２６】
図２、図３のように、防水パン２０の上面部（表面部）によって構成される洗い場床２２の上面は、前後方向において、後方側（浴槽５側）となるにつれ下位置となるように後方側に向かって下り勾配となる傾斜面となっている。また、図４、図５のように、洗い場床２２の上面は、左右方向において、左右両端から中央側となるにつれて下位置となるように左右中央に向かって下り勾配となる傾斜面となっている。図１〜図３のように、洗い場床２２の上面のうち最も低い位置（洗い場床２２の後端縁における左右方向中央位置）には、上面を浅く凹ませた形態の収容凹部３８が形成されている。収容凹部３８の平面形状は、全体として方形をなす。収容凹部３８の底面には、防水パン２０の下面側（裏面側）へ連通する貫通形態の円形の洗い場用排水口３９が形成されている。
【００２７】
図１〜図３のように、収容凹部３８には、収容凹部３８を部分的に閉塞する目皿３６が取外し可能に収容されている。目皿３６の平面形状は、全体として収容凹部３８とほぼ整合するような方形をなし、目皿３６の外形寸法は、収容凹部３８の開口寸法よりも少し小さく設定されている。洗い場床２２の上面を流れる湯水は、収容凹部３８と目皿３６の間の隙間を通って収容凹部３８内に入り込み、洗い場用排水口３９から排出される。
【００２８】
図２〜図４のように、防水パン２０の下面（裏面）には、防水パン２０の上面に作用する負荷に対する剛性を高める手段として、洗い場床２２の床面と略直角に下方へ突出する複数のリブ２８が、洗い場床２２のほぼ全領域に亘って形成されている。これらリブ２８は、前後方向に延びる複数の突条部と左右方向に延びる複数の突条部とを備えており、洗い場床２２のほぼ全領域に亘って格子状に配置されている。防水パン２０は、このように格子状に構成されたリブ２８が洗い場側フレーム１４の下フレーム（前後梁１４Ａ及び左右梁１４Ｂ）上に接触しつつ下フレームに支持され、格子状に構成されたリブ２８の外側に配置される周縁部３０（図６、図７参照）が環状フレーム１４Ｃに接触しつつ環状フレーム１４Ｃに支持された構成で、洗い場側フレーム１４に載置されている。
【００２９】
図１〜図５で示す複数の腰高壁４０，４１は、周壁部材の一例に相当し、洗い場部３の内部空間を囲む腰高の周壁の一部として機能する。これら腰高壁４０，４１は、防水パン２０とは分割された別部材として構成され、図６のように、後述する接続金具８０によって防水パン２０に固定される。
【００３０】
図１のように、一方側の腰高壁４０は、前後方向に延びる壁部４０Ａと、壁部４０Ａから折れ曲がり左右方向に延びる壁部４０Ｂとを備える。他方の腰高壁４１は、前後方向に延びる壁部４１Ａと、壁部４１Ａから折れ曲がり左右方向に延びる壁部４１Ｂとを備える。図１、図４のように、壁部４０Ｂの端部と壁部４１Ｂの端部によって出入口４６が構成され、この出入口４６は、図示しない扉によって開閉されるようになっている。
【００３１】
腰高壁４０，４１を構成する壁部４０Ａ，４０Ｂ，４１Ａ，４１Ｂのいずれも、洗い場床２２の周縁部から立ち上がる洗い場内壁部４２と、洗い場内壁部４２の上端部に設けられ且つ上方に上壁パネル１２０（図２〜図５）が配置される壁配置部５０とを備える。図２〜図５のように、本構成では、腰高壁４０を構成する壁部４０Ａ，４０Ｂの各壁配置部５０及び腰高壁４１を構成する壁部４１Ａ，４１Ｂの各壁配置部５０に隣接する形で上壁パネル１２０が配置されるようになっている。
【００３２】
壁部４０Ａ，４１Ａの洗い場内壁部４２は、防水パン２０における前後方向の周縁部（左右端の周縁部）に沿って配置されると共にこの周縁部から立ち上がり、内壁面が鉛直方向と平行な方向（具体的には左右方向と直交する方向）となっている。壁部４０Ｂ，４１Ｂの洗い場内壁部４２は、防水パン２０における左右方向の周縁部（前端の周縁部）に沿って配置されると共にこの周縁部から立ち上がり、内壁面が鉛直方向と平行な方向（具体的には前後方向と直交する方向）となっている。壁部４０Ａ，４０Ｂ，４１Ａ，４１Ｂの各洗い場内壁部４２の上端縁部は、ほぼ同じ高さとなっており、壁部４０Ａ，４１Ａの各洗い場内壁部４２の上端縁部は前後方向に延びた構成をなす。壁部４０Ｂ，４１Ｂの各洗い場内壁部４２の上端縁部は左右方向に延びた構成をなす。
【００３３】
図１のように、壁部４０Ａ，４０Ｂ，４１Ａ，４１Ｂの各洗い場内壁部４２の上端部に設けられた各壁配置部５０はいずれも、隣接部５２と立壁部５４とを備える。
【００３４】
図１〜図５のように、隣接部５２は、洗い場内壁部４２の上端縁部に沿って形成され上面が上壁パネル１２０（図２〜図５）の下端面に隣接する隣接面として構成されている。壁部４０Ａの隣接部５２は、所定幅に構成され、壁部４０Ａの洗い場内壁部４２の上端縁部に沿うように前後方向に延びている。壁部４０Ｂの隣接部５２は、所定幅に構成され、壁部４０Ｂの洗い場内壁部４２の上端縁部に沿うように左右方向に延びている。壁部４１Ａの隣接部５２は、所定幅に構成され、壁部４１Ａの洗い場内壁部４２の上端縁部に沿うように前後方向に延びている。壁部４１Ｂの隣接部５２は、所定幅に構成され、壁部４１Ｂの洗い場内壁部４２の上端縁部に沿うように左右方向に延びている。隣接部５２は、上面（隣接面）が幅方向において立壁部５４側よりも洗い場内壁部４２側の方が若干低くなるように傾斜した構成をなす。
【００３５】
図１〜図５のように、立壁部５４は、腰高壁の裏側への水の回り込みを防ぐ構造の一つである水切り部として機能し、隣接部５２から上方に立ち上がる壁部としてリブ状に構成されるとともに隣接部５２に沿って形成され且つ上壁パネル１２０の裏面側に配置される構成をなす。壁部４０Ａの立壁部５４は、壁部４０Ａに設けられた隣接部５２の左右方向の端部から立ち上がるリブ状に構成され、前後方向に延びている。壁部４０Ｂの立壁部５４は、壁部４０Ｂに設けられた隣接部５２の前端部から立ち上がるリブ状に構成され、左右方向に延びている。壁部４１Ａの立壁部５４は、壁部４１Ａに設けられた隣接部５２の左右方向の端部から立ち上がるリブ状に構成され、前後方向に延びている。壁部４１Ｂの立壁部５４は、壁部４１Ｂに設けられた隣接部５２の前端部から立ち上がるリブ状に構成され、左右方向に延びている。
【００３６】
このように構成される各壁部４０Ａ，４０Ｂ，４１Ａ，４１Ｂの各壁配置部５０の上方に、上壁パネル１２０が配置される。例えば、下端面が壁部４０Ａの隣接部５２に隣接するように配置される上壁パネル１２０は、板状に構成されるとともに板面が鉛直方向と平行に配置され、例えば、内面（板面）が壁部４０Ａの洗い場内壁部４２の内壁面と面一となっている。下端面が壁部４０Ｂの隣接部５２に隣接するように配置される上壁パネル１２０は、板状に構成されるとともに板面が鉛直方向と平行に配置され、例えば、内面（板面）が壁部４０Ｂの洗い場内壁部４２の内壁面と面一となっている。更に、下端面が壁部４１Ａの隣接部５２に隣接するように配置される上壁パネル１２０も、板状に構成されるとともに板面が鉛直方向と平行に配置され、例えば、壁部４１Ａの洗い場内壁部４２の内壁面と面一となっている。そして、下端面が壁部４１Ｂの隣接部５２に隣接するように配置される上壁パネル１２０も、板状に構成されるとともに板面が鉛直方向と平行に配置され、例えば、内面（板面）が壁部４１Ｂの洗い場内壁部４２の内壁面と面一となっている。本構成では、例えば、浴室ユニット１の周囲に構成される図示しない建築躯体の柱にベース部としての下地材が取り付けられ、その下地材に木材（例えばヒノキ材など）やその他の材料からなる上壁パネル１２０が、上述した面一の配置となるように取り付けられ、保持されている。上壁パネル１２０は、下端面が立壁部５４の上端部よりも下側の位置に配置され、隣接部５２の上面（隣接面）に近接する。具体的には、上壁パネル１２０の下端面と隣接部５２の上面（隣接面）との間に僅かな隙間が構成されるようにそれぞれが配置され、その隙間にはシリコン等のシール材を充填している。このような構造により、水が裏側に回ることを確実に防いでいる。なお下地材については、防水性があることが好ましい。
【００３７】
次に、防水パン２０に対する腰高壁４０，４１の固定構造について説明する。
図６には、腰高壁４１の壁部４１Ｂが防水パン２０に固定される部分の断面構造を示しており、壁部４１Ａや腰高壁４０の壁部４０Ａ，４０Ｂも、図６と同様の断面構造で防水パン２０に固定されている。以下では、図６で開示される壁部４１Ｂの断面構造を参照しつつ具体的に説明し、壁部４１Ａ、壁部４０Ａ，４０Ｂの固定部分の断面構造については、図６と同様であるとして詳細な説明は省略する。
【００３８】
図６のように、腰高壁４１の壁部４１Ｂは、板状に構成された洗い場内壁部４２が上下方向に立ち上がる。壁部４１Ｂの洗い場内壁部４２の内壁面は、例えば鉛直方向とほぼ平行になっており、前後方向と直交する方向となっている。壁部４１Ｂの洗い場内壁部４２の下端部には、この洗い場内壁部４２の壁面に対しほぼ直角に折れ曲がる構成で裏面側に延びる折れ曲がり部４３が形成されている。この折れ曲がり部４３の上方側の近接位置には、洗い場内壁部４２の裏面から突出する凸部４４が形成されている。凸部４４は、例えば、木材、金属部材、樹脂部材などを接着媒体などによって洗い場内壁部４２の裏面に接着してなる部分である。
【００３９】
図６のように、腰高壁４１は接続金具８０によって防水パン２０に固定される。接続金具８０は、板状に構成され且つ板厚方向に貫通した孔部である第１貫通部８２が形成された上面固定部８１と、上面固定部８１から折れ曲がる板状に構成され且つ板厚方向に貫通した孔部である第２貫通部８６が形成された側面固定部８４とを備え、全体としてＬ状の形態をなす。防水パン２０の側面部２１は、洗い場内壁部４２の裏面部に形成された凸部４４の下方に配置されている。具体的には、凸部４４と上述した環状フレーム１４Ｃの間に挟み込まれた形で防水パン２０の周縁部３０が配置され、この周縁部３０の端面部が側面部２１となっている。そして、このように凸部４４と環状フレーム１４Ｃの間に防水パン２０の周縁部３０が挟み込まれた状態で、接続金具８０が凸部４４と環状フレーム１４Ｃとを連結しつつ固定している。
【００４０】
接続金具８０は、第１貫通部８２に通され且つ凸部４４の上面と交差する方向に延びるねじ部材などからなる第１連結具９１によって上面固定部８１が凸部４４の上面に固定される。更に、第２貫通部８６に通され且つ防水パン２０の側面と交差する方向に延びるねじ部材などからなる第２連結具９２によって側面固定部８４が環状フレーム１４Ｃ（防水パン２０の下方に設けられた下方部材）の側面に固定される。
【００４１】
図６のように、防水パン２０の周縁部３０は、環状フレーム１４Ｃの上面に直接、載置されている。この周縁部３０には、断面が略Ｕ字形をなすように屈曲して上面に溝３４を開口させた形態の屈曲部３３が形成されている。溝３４内には、支持バー３７が嵌合され、支持バー３７の上面には、腰高壁４１の下端縁部として構成される折れ曲がり部４３が固着されている。腰高壁４１の洗い場内壁部４２の下端部と洗い場床２２の間の隙間には、この隙間をシールするためのシリコン製のシール材３５が充填されている。
【００４２】
図１で示す洗い場部３において、出入口４６付近の断面構造は、図７のようになっている。出入口４６の位置でも、防水パン２０の周縁部３０の断面構造は、壁部４１Ｂが配置される部分と同様であり、図６で示す構造と同様になっている。そして、このような周縁部の断面構造は、防水パン２０の前端の周縁部の全範囲にわたって続いている。なお、防水パン２０の左右両端の周縁部においても図６、図７と同様の断面構造が左右両端の周縁部の全範囲にわたって続いている。
【００４３】
図７のように、出入口４６の開放領域において防水パン２０の周縁部３０の上方には、左右方向に延びる細長のドア下部材９８が配置されている。このドア下部材９８は、図７のような断面構造で左右方向に続いており、上面が水平な板面として構成される上壁部９８Ａと、上下方向に立ち上がる後壁部９８Ｂと、後壁部９８Ｂから折れ曲がる下壁部９８Ｃとを備える。下壁部９８Ｃは、後壁部９８Ｂの壁面に対しほぼ直角に折れ曲がる構成で裏面側に延び、下壁部９８Ｃの上方側の近接位置には、後壁部９８Ｂの裏面から突出する凸部９６が形成されている。凸部９６は、例えば、木材、金属部材、樹脂部材などを接着媒体などによって後壁部の裏面に接着してなる部分である。
【００４４】
図７のように、防水パン２０の周縁部３０は、後壁部９８Ｂの裏面部に形成された凸部９６の下方に配置されている。具体的には、凸部９６と環状フレーム１４Ｃの間に挟み込まれた形で防水パン２０の周縁部３０が配置され、このように周縁部３０が挟み込まれた状態で、平板状の接続金具９５が凸部９６と環状フレーム１４Ｃとを連結しつつ固定している。具体的には、接続金具９５の上端側と凸部９６とがねじ等の固定具９３によって固定され、接続金具９５の下端側と環状フレーム１４Ｃとがねじ等の固定具９４によって固定されている。なお、下壁部９８Ｃと、周縁部３０の間の構造は、図６における折れ曲がり部４３と周縁部３０の間の構造と同様である。
【００４５】
次に、浴槽部２における上壁パネル１２０付近の構造について説明する。
図１〜図３、図５のように、浴槽部２には、平面視矩形状に構成された浴槽５の周縁部に連結される構成で連結部材６０が設けられている。この連結部材６０は、浴槽５の周縁部のうちの洗い場床２２側に面しない周縁部７Ａ，７Ｂ，７Ｃに連結される部材である。図１のように、連結部材６０は前後方向の周縁部７Ａに連結される前後方向の壁部６０Ａと、左右方向の周縁部７Ｂに連結される左右方向の壁部６０Ｂと、前後方向の周縁部７Ｃに連結される前後方向の壁部６０Ｃとを備え、これらが一体的に形成されている。この連結部材６０は、洗い場床２２側に面しない周縁部７Ａ，７Ｂ，７Ｃからそれぞれ立ち上がる浴槽側内壁部６２と、浴槽側内壁部６２の上端部に設けられ且つ上方に上壁パネル１２０が配置される第２壁配置部７０とを備える。
【００４６】
浴槽側内壁部６２は、上下方向に立ち上がり、具体的には、内壁面が鉛直方向とほぼ平行になっている。例えば、前後方向に延びる周縁部７Ａ，７Ｃからそれぞれ立ち上がる浴槽側内壁部６２は、内壁面が左右方向と直交する面となっている。左右方向に延びる周縁部７Ｂからそれぞれ立ち上がる浴槽側内壁部６２は、内壁面が前後方向と直交する面となっている。
【００４７】
図２、図３、図５のように、連結部材６０は、浴槽側内壁部６２の上端部の高さが洗い場内壁部４２の上端部の高さと揃えられている。具体的には、壁部６０Ａ，６０Ｂ，６０Ｃの各浴槽側内壁部６２の上端縁部は、ほぼ同じ高さとなっており、上述した各洗い場内壁部４２の上端縁部の高さと同じ高さに揃えられている。壁部６０Ａ，６０Ｃの各浴槽側内壁部６２の上端縁部は前後方向に延びた構成をなす。壁部６０Ｂの浴槽側内壁部６２の上端縁部は左右方向に延びた構成をなす。
【００４８】
第２壁配置部７０は、浴槽側内壁部６２の上端縁部に沿って形成され上面が上壁パネル１２０の下端面に隣接する隣接面として構成された隣接部７２と、隣接部７２から上方に立ち上がる壁部として構成されるとともに隣接部７２に沿って形成され且つ上壁パネル１２０の裏面側に配置される立壁部７４とを有する。第２壁配置部７０と上壁パネル１２０の隣接構造は、壁配置部５０と上壁パネル１２０の隣接構造と同様である。
【００４９】
壁部６０Ａの隣接部７２は、所定幅に構成され、壁部６０Ａの浴槽側内壁部６２の上端縁部に沿うように前後方向に延びている。壁部６０Ｂの隣接部７２は、所定幅に構成され、壁部６０Ｂの浴槽側内壁部６２の上端縁部に沿うように左右方向に延びている。壁部６０Ｃの隣接部７２は、所定幅に構成され、壁部６０Ｃの浴槽側内壁部６２の上端縁部に沿うように前後方向に延びている。隣接部７２は、上面（隣接面）が幅方向において立壁部７４側よりも浴槽側内壁部６２側の方が若干低くなるように傾斜した構成をなす。
【００５０】
立壁部７４は、腰高壁の裏側への水の回り込みを防ぐ構造の一つである水切り部として機能し、隣接部７２から上方に立ち上がる壁部としてリブ状に構成されるとともに隣接部７２に沿って形成され且つ上壁パネル１２０の裏面側に配置される構成をなす。壁部６０Ａの立壁部７４は、壁部６０Ａに設けられた隣接部７２の左右方向の端部から立ち上がるリブ状に構成され、前後方向に延びている。壁部６０Ｂの立壁部７４は、壁部６０Ｂに設けられた隣接部７２の後端部から立ち上がるリブ状に構成され、左右方向に延びている。壁部６０Ｃの立壁部７４は、壁部４６０Ｃに設けられた隣接部７２の左右方向の端部から立ち上がるリブ状に構成され、前後方向に延びている。
【００５１】
このように構成される各壁部６０Ａ，６０Ｂ，６０Ｃの各第２壁配置部７０に、上壁パネル１２０が配置される。下端面が壁部７０Ａの隣接部７２の上面に隣接する上壁パネル１２０は、板状に構成されるとともに板面が鉛直方向と平行に配置され、例えば、内面（板面）が壁部６０Ａの浴槽側内壁部６２の内壁面と面一となっている。下端面が壁部６０Ｂの隣接部７２の上面に隣接する上壁パネル１２０は、板状に構成されるとともに板面が鉛直方向と平行に配置され、例えば、内面（板面）が壁部６０Ｂの浴槽側内壁部６２の内壁面と面一となっている。更に、下端面が壁部６０Ｃの隣接部７２に隣接する上壁パネル１２０も、板状に構成されるとともに板面が鉛直方向と平行に配置され、例えば、内面（板面）が壁部６０Ｃの浴槽側内壁部６２の内壁面と面一となっている。
【００５２】
次に、連結部材６０を浴槽５の周縁部に固定する固定構造について説明する。なお、以下では、図８を参照し、壁部６０Ｂと周縁部７Ｂとの固定構造を説明するが、壁部６０Ａと周縁部７Ａの固定構造、及び壁部６０Ｃと周縁部７Ｃの固定構造も図８と同様の構造になっている。
【００５３】
図８のように、浴槽５の周縁部７Ｂ上に載置された構成で、連結部材６０の壁部６０Ｂが配置されている。浴槽５の周縁部７Ｂは、壁部６０Ｂを載置しつつ支持する支持部８Ａと、この支持部８Ａから上方に立ち上がるリブ状の立ち上がり壁８Ｂとを有する。支持部８Ａは、所定幅の上面が水平且つ平坦に構成され、このような上面が左右方向に延びる形で続いている。更に、周縁部７Ｂには、支持部８Ａから下方側に立ち下がる立ち下がり壁８Ｃが形成されている。
【００５４】
図８のように、浴槽側内壁部６２の下端部には、この浴槽側内壁部６２の壁面に対しほぼ直角に折れ曲がる構成で裏面側に延びる折れ曲がり部６３が形成されている。この折れ曲がり部６３の上方側の近接位置には、浴槽側内壁部６２の裏面から突出する凸部６４が形成されている。凸部６４は、例えば、木材、金属部材、樹脂部材などを接着媒体などによって浴槽側内壁部６２の裏面に接着してなる部分である。
【００５５】
浴槽５の周縁部７Ｂは、浴槽側内壁部６２の裏面部に形成された凸部６４の下方に配置されている。そして、支持部８Ａの上面に、壁部６０Ｂの折れ曲がり部６３が載置され、折れ曲がり部６３の下面と支持部８Ａの上面の間の隙間には、この隙間をシールするためのシリコン製のシール材９が充填されている。このような載置状態で、浴槽５と連結部材６０とが接続金具７６によって連結された形で固定されている。接続金具７６は、凸部６４の端面に当接する当接部７６Ａと、立ち下がり壁８Ｃの壁面に当接する当接部７６Ｂと、これら当接部７６Ａ，７６Ｂを連結する連結部７６Ｃを備え、当接部７６Ａ，７６Ｂがねじ部材等の固定具７８Ａ，７８Ｂによって凸部６４、立ち下がり壁８Ｃにそれぞれ固定されている。
【００５６】
以上のように、本構成の浴室ユニット１は、洗い場床２２を構成する防水パン２０と、洗い場の内壁部を構成する腰高壁４０，４１とが分割された別部材として構成されている。この構成によれば、洗い場床２２と腰高壁４０，４１をそれぞれ別々の部材によって構成することができ、これらを一体成形することに起因する制約が緩和される。
【００５７】
特に、洗い場床２２と洗い場内壁部４２の材質や形状を選定する上で自由度がより大きくなり、洗い場床２２と洗い場内壁部４２の組み合わせのバリエーションを増やしやすくなる。また、洗い場床２２と洗い場の内壁部が分割されているため、扉の位置変更などのように一部の設計変更が求められる場合に、必ずしも洗い場床２２と内壁部を一括して変更する必要はなく、より小さな部位の設計変更で対応しやすくなる。例えば図１の構成を、後述する図９のような構成（図１から扉の位置を変更した構成）に設計変更する場合に、一部の設計変更で済み、製造コストの低減を図りやすくなる。
【００５８】
また、本構成は、洗い場の床部と周壁部を一体成型する構成のように、周壁部に抜き勾配を設ける必要がない。つまり、一体成型時に求められる制約（床部に対して周壁部の内壁を若干の鈍角で傾斜させるような制約）がないため、上述した洗い場内壁部４２のように内壁面を洗い場床２２の床面に対してほぼ垂直に形成することも可能となる。また、腰高壁４０，４１の壁面と、上壁パネル１２０の壁面をいずれも垂直平面とすることができ、面一にすることもできる。このような構成により、意匠性を高めることができる。
【００５９】
更に、浴室ユニット１は、浴槽５の周縁部のうちの洗い場床２２側に面しない周縁部から立ち上がる浴槽側内壁部６２と、浴槽側内壁部６２の上端部に設けられ且つ上方に上壁パネル１２０が配置される第２壁配置部７０とを備えた連結部材６０を有する。そして、洗い場内壁部４２の上端部の高さと、浴槽側内壁部６２の上端部の高さとが揃えられている。この構成によれば、洗い場内壁部４２の上端と浴槽５の上面の高さがずれていても、洗い場内壁部４２の上端部と浴槽側内壁部６２の上端部を揃えて統一感のあるデザインとすることができる。しかも、洗い場側の上壁パネル１２０と浴槽５側の上壁パネル１２０についても、下端部の高さをより合わせやすいため、デザイン性をより一層高めることができる。
【００６０】
また、壁配置部５０は、洗い場内壁部４２の上端縁部に沿って形成され上面が上壁パネルの端面に隣接する隣接面として構成された隣接部５２と、隣接部５２から上方に立ち上がる壁部として構成されるとともに隣接部５２に沿って形成され且つ上壁パネル１２０の裏面側に配置される立壁部５４とを有する。この構成によれば、上壁パネル１２０の端面を隣接部５２の上面（隣接面）に隣接させ、上壁パネル１２０の裏面を立壁部５４に隣接させた近接構造で位置を定めることができる。そして、上壁パネル１２０と腰高壁４０，４１の境界部付近では、裏面側への水の回り込みをより防ぎ易くなる。
【００６１】
また、浴室ユニット１は、板状に構成され且つ第１貫通部８２が形成された上面固定部８１と、上面固定部８１から折れ曲がる板状に構成され且つ第２貫通部８６が形成された側面固定部８４とを備えた接続金具８０を有する。そして、洗い場内壁部４２の裏面部には、凸部４４が形成され、防水パン２０の側面部は、凸部４４の下方に配置されている。そして、第１貫通部８２に通され且つ凸部４４の上面と交差する方向に延びる第１連結具９１によって上面固定部８１が凸部４４の上面に固定され、第２貫通部８６に通され且つ防水パン２０の側面と交差する方向に延びる第２連結具９２によって側面固定部８４が防水パン２０の下方に配置された下方部材（環状フレーム１４Ｃ）の側面に固定される。
【００６２】
このように、腰高壁４０，４１の裏側に形成された凸部４４と接続金具８０の上面固定部８１とを、凸部４４の上面と交差する方向に延びる第１連結具９１によって固定する場合、上面固定部８１に形成された第１貫通部８２の内面と第１貫通部８２を通る第１連結具９１の外面の間に隙間があれば、この隙間の範囲で腰高壁４０，４１を相対的に移動することができる。つまり、防水パン２０に対する腰高壁４０，４１の相対位置（凸部４４の上面の方向の相対位置）を微調整しつつ固定することが可能となる。更に、下方部材（環状フレーム１４Ｃ）の側面と接続金具８０の側面固定部８４とを、その側面と交差する方向に延びる第２連結具９２によって固定する構造となっている。この構成では、側面固定部８４に形成された第２貫通部８６の内面と第２貫通部８６を通る第２連結具９２の外面の間に隙間があれば、この隙間の範囲で防水パン２０を相対的に移動することができる。つまり、腰高壁４０，４１に対する防水パン２０の相対位置（側面の方向の相対位置）を微調整しつつ固定することが可能となる。このように、腰高壁４０，４１と防水パン２０の位置関係を、２つの平面方向で微調整しつつ固定することができるため、防水パン２０や腰高壁４０，４１に反りやねじれなどの製造ばらつきが生じても、微調整によってその影響を抑えた形で固定することが可能となる。
【００６３】
＜実施例２＞
次に、図９を参照し、実施例２について説明する。
実施例２は、腰高壁の一部の構成を変更し、且つドア下部材の配置を変更した点のみが実施例１と異なり、それ以外は実施例１と同様である。なお、浴槽部２については、実施例１と同一の構成であるため、実施例１と同一の符号を付し、詳細な説明は省略する。
【００６４】
図９で示す実施例２の構成も、上面部が浴槽５に隣接した洗い場床２２を構成する防水パン２０と、防水パン２０とは分割された別部材として防水パン２０に固定される複数の腰高壁４１，２４０，２４１とを備える。
【００６５】
図９の構成において、腰高壁４１の構成は、実施例１と同一である。腰高壁２４０は、腰高壁４１に隣接して配置され、左右方向に延びる壁部２４０Ｂと、壁部２４０Ｂから折れ曲がり前後方向に延びる壁部２４０Ａとを備える。壁部２４０Ａ，２４０Ｂの断面構造は、腰高壁４１の断面構造と同様であり、これら壁部２４０Ａ，２４０Ｂの防水パン２０に対する固定構造も、腰高壁４１の固定構造と同様である。
【００６６】
また、浴槽部２に隣接して腰高壁２４１が設けられており、この腰高壁２４１の断面構造も、腰高壁４１の断面構造と同様であり、防水パン２０に対する固定構造も、腰高壁４１の固定構造と同様である。腰高壁４１，２４０，２４１のいずれも、洗い場床２２の周縁部から立ち上がる洗い場内壁部４２と、洗い場内壁部４２の上端部に設けられ且つ上方に上壁パネル（実施例１の上壁パネル１２０と同様のパネル）が配置される壁配置部５０とを備える。この壁配置部５０の構造も実施例１と同様である。そして、腰高壁２４０と腰高壁２４１との間に出入口２４６が配置され、実施例１と同様のドア下部材９８が実施例１と同様の固定構造で防水パン２０の周縁部に固定されている。
【００６７】
＜実施例３＞
次に、図１０を参照し、実施例３について説明する。
実施例３は、実施例１の構成を前後逆の対称構造とした点が実施例１と異なり、それ以外は実施例１と同様である。浴槽部２及び洗い場部３のいずれも、実施例１の構成を前後逆の対称構造にした点のみが異なり、具体的な構造は実施例１と同一である。よって、符号については、実施例１と同一の符号を付し、詳細な説明は省略する。
【００６８】
図１０で示す実施例３の構成も、上面部が浴槽５に隣接した洗い場床２２を構成する防水パン２０と、防水パン２０とは分割された別部材として防水パン２０に固定される複数の腰高壁４０，４１とを備える。腰高壁４０，４１の断面構造や固定構造は実施例１と同様である。
【００６９】
＜実施例４＞
次に、図１１を参照し、実施例４について説明する。
実施例４は、腰高壁の一部の構成を変更し、且つドア下部材の配置を変更した点のみが実施例３と異なり、それ以外は実施例３と同様である。具体的には、浴槽部２及び洗い場部３のいずれも、実施例２の構成を前後逆の対称構造にした点のみが実施例２の構成と異なり、具体的な構造は実施例２と同一である。よって、符号については、実施例２と同一の符号を付し、詳細な説明は省略する。
【００７０】
図１１で示す実施例４の構成も、上面部が浴槽５に隣接した洗い場床を構成する防水パン２０と、防水パン２０とは分割された別部材として防水パン２０に固定される複数の腰高壁４１，２４０，２４１とを備える。腰高壁４１，２４０，２４１の断面構造や固定構造は実施例１、３と同様である。
【００７１】
＜実施例５＞
次に、図１２を参照し、実施例５について説明する。
実施例５は、洗い場部３の前後方向の長さを実施例１よりも大きくした点が実施例１と異なり、それ以外は実施例１と同様である。よって、符号については、実施例１と同一の符号を付し、詳細な説明は省略する。なお、浴槽部２については、実施例１と同一である。
【００７２】
図１２で示す実施例５の構成も、上面部が浴槽５に隣接した洗い場床２２を構成する防水パン２０と、防水パン２０とは分割された別部材として防水パン２０に固定される複数の腰高壁４０，４１とを備える。腰高壁４０，４１の断面構造や固定構造は実施例１と同様である。
【００７３】
＜実施例６＞
次に、図１３を参照し、実施例６について説明する。
実施例６は、洗い場部３の前後方向の長さを実施例４よりも大きくした点が実施例４と異なり、それ以外は実施例４と同一である。よって、符号については、実施例４と同一の符号を付し、詳細な説明は省略する。
【００７４】
図１３で示す実施例６の構成も、上面部が浴槽５に隣接した洗い場床２２を構成する防水パン２０と、防水パン２０とは分割された別部材として防水パン２０に固定される複数の腰高壁４１，２４０，２４１とを備える。腰高壁４１，２４０，２４１の断面構造や固定構造は実施例１、４と同様である。
【００７５】
＜他の実施例＞
本発明は上記記述及び図面によって説明した実施例に限定されるものではなく、例えば次のような実施例も本発明の技術的範囲に含まれる。
（１）上記実施例では、接続金具８０を、防水パン２０の下方に配置される下方部材（環状フレーム１４Ｃ）に固定したが、防水パン２０の側面部に直接固定されていてもよい。
（２）防水パンに固定される腰高壁の数は、２つに限られず、３以上であってもよい。
【符号の説明】
【００７６】
１…浴室ユニット
５…浴槽
１４Ｃ…環状フレーム（下方部材）
２０…防水パン
２２…洗い場床
４０，４１，２４０，２４１…腰高壁（周壁部材）
４２…洗い場内壁部
４４…凸部
５０…壁配置部
５２…隣接部
５４…立壁部
６０…連結部材
６２…浴槽側内壁部
７０…第２壁配置部
８０…接続金具
８１…上面固定部
８２…第１貫通部
８４…側面固定部
８６…第２貫通部
９１…第１連結具
９２…第２連結具
１２０…上壁パネル
【図１】
0006684019.tif 000002
【図２】
0006684019.tif 000003
【図３】
0006684019.tif 000004
【図４】
0006684019.tif 000005
【図５】
0006684019.tif 000006
【図６】
0006684019.tif 000007
【図７】
0006684019.tif 000008
【図８】
0006684019.tif 000009
【図９】
0006684019.tif 000010
【図１０】
0006684019.tif 000011
【図１１】
0006684019.tif 000012
【図１２】
0006684019.tif 000013
【図１３】
0006684019.tif 000014